(57)【要約】  ユニバーサルシリアルバス（ＵＳＢ）モデム装置は、本体部材とフリップ部材とを備える。フリップ部材はアンテナ素子を備え、ヒンジ軸線まわりに閉位置と開位置との間で移動するように回転可能に本体部材に結合される。本体部材に対して突出位置と後退位置との間で移動するようにＵＳＢコネクタが動作可能に本体部材内に取り付けられる。フリップ部材を開位置と閉位置との間で動作したときにＵＳＢコネクタが突出位置と後退位置との間で移動するように、フリップ部材とＵＳＢコネクタとは本体部材内のリンク機構によって結合される。【選択図】図１Ａ
2011514692.tif 000002
【特許請求の範囲】
【請求項１】
本体部材と、
アンテナ素子を備え、ヒンジ軸線まわりに閉位置と開位置との間で移動するように回転可能に前記本体部材に結合されたフリップ部材と、
前記本体部材に対して突出位置と後退位置との間で移動するように前記本体部材内に動作可能に取り付けられたＵＳＢコネクタと、
前記開位置と前記閉位置との間での前記フリップ部材の動作により前記ＵＳＢコネクタが前記突出位置と前記後退位置との間で移動するように前記フリップ部材と前記ＵＳＢコネクタとを結合する前記本体部材のリンク機構と、を備えるユニバーサルシリアルバス（ＵＳＢ）モデム装置。
【請求項２】
前記本体部材内に配置された回路基板と、
前記回路基板のモデム回路と、
前記アンテナ素子を前記モデム回路に動作可能に結合するＲＦ接続と、をさらに備える、請求項１に記載のＵＳＢモデム装置。
【請求項３】
前記ＵＳＢコネクタは前記回路基板に固定的に接続され、前記回路基板と前記ＵＳＢコネクタとは共に前記突出位置と前記後退位置との間で直線的に移動する、請求項２に記載のＵＳＢモデム装置。
【請求項４】
前記ＲＦ接続は、前記アンテナ素子に動作可能に結合される前記フリップ部材の接点と、前記モデム回路に動作可能に結合される前記本体部材の対応接点とを含む直接接続を含み、前記フリップ部材の前記接点と前記本体部材の前記対応接点とは前記開位置においてのみ接触する、請求項２に記載のＵＳＢモデム装置。
【請求項５】
前記アンテナ素子は第１のアンテナと第２のアンテナとを備え、前記フリップ部材は、
前記ヒンジ軸線から前記本体部材の第１の側に隣接して前記ヒンジ軸線から離れた端部まで延在し、前記第１のアンテナを備えた第１のアームと、
前記ヒンジ軸線から前記本体部材の第２の側に隣接して前記ヒンジ軸線から離れた、前記第１の側とは反対側の端部まで延在し、前記第２のアンテナを備えた第２のアームと、
前記第１のアームの前記端部と前記第２のアームの前記端部との間に延在し、前記閉位置において前記本体部材の前記第１および第２の側の間に延在する前記本体部材の端部に隣接した位置とされ、前記突出位置に突出する前記ＵＳＢコネクタが通る前記本体部材の前記端部にあるＵＳＢコネクタ用開口部を覆う接続部材と、を備え、
前記フリップ部材の前記接点は、前記第１のアンテナに動作可能に結合される第１の接点と、前記第２のアンテナに結合される第２の接点とを備え、前記対応接点は、前記本体部材の前記第１の側の第１の対応接点と前記本体部材の前記第２の側の第２の対応接点とを備える、請求項４に記載のＵＳＢモデム装置。
【請求項６】
前記本体部材は、前記本体部材の前記端部に前記ＵＳＢコネクタ用開口部に隣接してメモリカードスロットをさらに備え、前記閉位置において前記接続部材は前記メモリカードスロットを覆い、前記回路基板は前記メモリカードスロットに挿入されたメモリカードに動作可能に連結するように構成されたメモリカード回路をさらに備える、請求項５に記載のＵＳＢモデム装置。
【請求項７】
前記リンク機構は、前記フリップ部材が固定的に連結される前記ヒンジ軸線に沿って延在する金属シャフトを備え、前記ＲＦ接続は、前記開位置および前記閉位置の両方で前記金属シャフトに接触する前記アンテナ素子に動作可能に結合される前記フリップ部材の接点を含む直接接続を含む、請求項２に記載のＵＳＢモデム装置。
【請求項８】
前記フリップ部材の前記接点はばね接点を備える、請求項７に記載のＵＳＢモデム装置。
【請求項９】
前記ＲＦ接続は、前記アンテナ素子に動作可能に結合される前記フリップ部材の第１の電極と前記モデム回路に動作可能に結合される前記本体部材の第２の電極とを含む容量結合を含み、前記開位置において前記第１および第２の電極は、その間の直接接触なしに、容量結合される、請求項２に記載のＵＳＢモデム装置。
【請求項１０】
前記第１の電極および前記第２の電極は、前記ヒンジ軸線に隣接して中央に配置され、前記閉位置および前記開位置において前記第１および第２の電極は、その間の直接接触なしに、容量結合される、請求項９に記載のＵＳＢモデム装置。
【請求項１１】
前記第１の電極および前記第２の電極は前記ヒンジ軸線からオフセットした位置に配置され、前記開位置においてのみ前記第１および第２の電極は、その間の直接接触なしに、容量結合される、請求項９に記載のＵＳＢモデム装置。
【請求項１２】
前記ＲＦ接続は、前記アンテナ素子に動作可能に結合される前記フリップ部材の第１のコイルと、前記モデム回路に動作可能に結合される前記本体部材の第２のコイルとを含む誘導結合を含み、前記開位置において前記第１および第２の電極は、その間の直接接触なしに、誘導結合される、請求項２に記載のＵＳＢモデム装置。
【請求項１３】
前記第１のコイルおよび前記第２のコイルは前記ヒンジ軸線に隣接して中央に配置され、前記閉位置および前記開位置において前記第１および第２のコイルは、その間の直接接触なしに、容量結合される、請求項１２に記載のＵＳＢモデム装置。
【請求項１４】
前記アンテナ素子はループアンテナを備える、請求項１２に記載のＵＳＢモデム装置。
【請求項１５】
前記アンテナ素子は第１のアンテナと第２のアンテナとを備え、前記フリップ部材は、
前記ヒンジ軸線から前記本体部材の第１の側に隣接して前記ヒンジ軸線から離れた端部まで延在する第１のアームであって、前記第１のアンテナを備えた第１のアームと、
前記ヒンジ軸線から前記本体部材の前記第１の側とは反対側の第２の側に隣接して前記ヒンジ軸線から離れた端部まで延在する第２のアームであって、前記第２のアンテナを備えた第２のアームと、
前記第１のアームの前記端部と前記第２のアームの前記端部との間に延在する接続部材であって、前記閉位置において前記接続部材は前記本体部材の前記第１および第２の側の間に延在する前記本体部材の端部に隣接した位置とされ、前記突出位置に突出する前記ＵＳＢコネクタが通る前記本体部材の前記端部にあるＵＳＢコネクタ用開口部を覆い、前記後退位置において前記ＵＳＢコネクタは前記本体部材内に完全に収容され、前記接続部材が前記ＵＳＢコネクタ用開口部を覆う、請求項２に記載のＵＳＢモデム装置。
【請求項１６】
前記本体部材は、前記本体部材の前記端部に前記ＵＳＢコネクタ用開口部に隣接してメモリカードスロットをさらに備え、前記閉位置において前記接続部材は前記メモリカードスロットを覆い、前記回路基板は前記メモリカードスロットに挿入されたメモリカードと動作可能に連結するように構成されたメモリカード回路をさらに備える、請求項１５に記載のＵＳＢモデム装置。
【請求項１７】
前記回路基板は第１の回路基板と、独立した第２の回路基板とを備え、前記ＵＳＢコネクタは、前記第１の回路基板に接続され、前記モデム回路は前記第１の回路基板上にあり、前記メモリカード回路は前記第２の回路基板上にあり、前記第１の回路基板は前記第２の回路基板に電気的に接続される、請求項１６に記載のＵＳＢモデム装置。
【請求項１８】
前記リンク機構は、前記フリップ部材の前記開位置と閉位置との間での回動を前記ＵＳＢコネクタの前記突出位置と前記後退位置との間での直線動作に変換するラックおよび歯車機構を備える、請求項１６に記載のＵＳＢモデム装置。
【請求項１９】
前記ラックおよび歯車機構は、
前記ヒンジ軸線まわりに前記フリップ部材と共に回転するように前記フリップ部材に連結された歯車と、
前記歯車に噛合するラック部材を備え、前記歯車の回転が前記ラック部材を直線的に駆動したときに前記ＵＳＢコネクタと共に直線移動するように前記ＵＳＢコネクタに連結された摺動部材と、を備える、請求項１８に記載のＵＳＢモデム装置。
【請求項２０】
前記ラックおよび歯車機構は、
前記本体部材の前記第１の側に隣接した前記第１のアームと共に前記ヒンジ軸線まわりに回転するように前記第１のアームに連結された第１の歯車と、
前記本体部材の前記第２の側に隣接した前記第２のアームと共に前記ヒンジ軸線まわりに回転するように前記第２のアームに連結された第２の歯車と、
前記第１の歯車に噛合した第１のラック部材と前記第２の歯車に噛合した第２のラック部材とを備え、前記第１の歯車の回転が前記第１のラック部材を直線的に駆動し、前記第２の歯車の回転が前記第２のラック部材を直線的に駆動したときに前記ＵＳＢコネクタと共に直線移動するように前記ＵＳＢコネクタに連結された摺動部材と、を備える、請求項１８に記載のＵＳＢモデム装置。
【請求項２１】
前記リンク機構は、前記フリップ部材の前記開位置と前記閉位置との間での回動を前記ＵＳＢコネクタの前記突出位置と後退位置との間での直線動作に変換するラックおよび歯車機構を備える、請求項１に記載のＵＳＢモデム装置。
【請求項２２】
電子装置を無線通信用に構成する方法であって、
アンテナ素子を備えたフリップ部材と、前記フリップ部材の開位置への回転に伴い突出位置に直線移動するように前記フリップ部材にリンクされたＵＳＢコネクタとを備えた携帯型のＵＳＢモデム装置を用意するステップであって、前記フリップ部材の閉位置において前記フリップ部材は前記ＵＳＢコネクタが直線移動時に通る開口部を覆う、ステップと、
前記開口部を露出させ、前記ＵＳＢコネクタを前記突出位置に突出させるために前記フリップ部材を前記開位置に回転するステップと、
前記ＵＳＢモデム装置を作動させ、前記ＵＳＢモデム装置を介した無線通信用に前記電子装置を構成するために、前記突出したＵＳＢコネクタを前記電子装置のＵＳＢポートに挿入するステップと、を含む方法。
【請求項２３】
前記フリップ部材を回転すると前記アンテナ素子が前記ＵＳＢモデム装置のモデム回路に電子的に結合される、請求項２２に記載の方法。
【発明の詳細な説明】
【技術分野】
【０００１】
本出願は、２００８年１月７日に出願された米国特許仮出願第６１／０１９，３８７号（代理人整理番号９３１４−１９４ＰＲ）の優先権を主張し、その記載内容のすべてを、ここに援用する。
【０００２】
本発明は、通信の分野に関し、特に携帯端末に関する。
【背景技術】
【０００３】
無線通信能力を備えていないパーソナルコンピュータ等の電子装置にそのような能力をもたらすために、その電子装置にモデムを結合することもできる。電子装置の内部バスに取り付けられる内蔵モデムおよび外付けモデム装置の両方が利用可能である。電子装置への外部インタフェースとして、例えば、ユニバーサルシリアルバス（ＵＳＢ）が挙げられる。
【０００４】
現在、ラップトップコンピュータ等を用いたモバイルコンピューティング用にＵＳＢドングルモデムが受け入れられつつある。このような用途のために最小の（最もコンパクトな）製品の製造が望まれている。ただし、いくつかのアンテナシステム（メイン−セルラー、ダイバーシティ、全地球測位システム（ＧＰＳ）、および／または無線ＬＡＮ（ＷＬＡＮ）用等のアンテナシステム）を組み込むと、製品の外形寸法に大きく影響しうる。
【発明の概要】
【課題を解決するための手段】
【０００５】
本発明の一部の実施態様は、本体部材とフリップ部材とを備えたユニバーサルシリアルバス（ＵＳＢ）モデム装置を提供する。フリップ部材はアンテナ素子を備え、ヒンジ軸線まわりに閉位置と開位置との間で動作するように回転可能に本体部材に結合される。本体部材に対して突出位置と後退位置との間で移動するようにＵＳＢコネクタが動作可能に本体部材に取り付けられる。フリップ部材を開位置と閉位置との間で動作するとＵＳＢコネクタが突出位置と後退位置との間で移動するように、フリップ部材とＵＳＢコネクタとは本体部材のリンク機構によって結合される。
【０００６】
一部の実施態様において、ＵＳＢモデム装置は、本体部材内に配置された回路基板と、回路基板上のモデム回路と、アンテナ素子をモデム回路に動作可能に結合するＲＦ接続とを備える。ＵＳＢコネクタを回路基板に固定的に接続し、回路基板とＵＳＢコネクタとを共に突出位置と後退位置との間で直線的に移動させることもできる。アンテナ素子は、ループアンテナ、線状アンテナ、および／または同様のアンテナでもよい。
【０００７】
他の複数の実施態様においては、ＲＦ接続は、アンテナに動作可能に結合されるフリップ部材上の接点と、モデム回路に動作可能に結合される本体部材上の対応接点とを含む直接接続である。フリップ部材上の接点と本体部材上の対応接点とは、開位置においてのみ接触させることも、あるいは開位置および閉位置の両方で接触させることもできる。
【０００８】
さらに他の複数の実施態様においては、第１のアンテナと第２のアンテナとがフリップ部材に設けられる。フリップ部材は、第１および第２のアームを備える。第１のアームは、ヒンジ軸線から本体部材の第１の側に隣接してヒンジ軸線から離れた端部まで延在する。第１のアームは、第１のアンテナを備える。第２のアームは、ヒンジ軸線から本体部材の第２の側に隣接してヒンジ軸線から離れた、第１の側とは反対側の端部まで延在する。第２のアームは、第２のアンテナを備える。第１のアームの端部と第２のアームの端部との間に接続部材が延在する。閉位置において、接続部材は、本体部材の第１および第２の側の間に延在する本体部材の一方の端部に隣接した位置とされ、本体部材の当該端部にあるＵＳＢコネクタ用開口部を覆う。ＵＳＢコネクタ用開口部は、突出位置に突出するＵＳＢコネクタが通る開口部である。フリップ部材上の接点は、第１のアンテナに動作可能に結合される第１の接点と第２のアンテナに結合される第２の接点とすることもでき、対応接点は、本体部材の第１の側の第１の対応接点と本体部材の第２の側の第２の対応接点とすることもできる。
【０００９】
他の複数の実施態様において、本体部材は、本体部材の当該端部に、ＵＳＢコネクタ用開口部に隣接して、メモリカードスロットをさらに備える。接続部材は、閉位置においてメモリカードスロットを覆う。回路基板は、メモリカードスロットに挿入されたメモリカードに動作可能に連結するように構成されたメモリカード回路をさらに備える。
【００１０】
さらに他の複数の実施態様において、リンク機構は、ヒンジ軸線に沿って延在する、フリップ部材が固定的に連結される金属シャフトを備える。ＲＦ接続は、開位置および閉位置の両方で金属シャフトに接触するアンテナに動作可能に結合されるフリップ部材上の接点を含む直接接続である。フリップ部材上の接点は、ばね接点でもよい。
【００１１】
他の複数の実施態様において、ＲＦ接続は、アンテナに動作可能に結合されるフリップ部材上の第１の電極と、モデム回路に動作可能に結合される本体部材上の第２の電極とを含む容量結合である。開位置において、第１および第２の電極は、その間の直接接触なしに、容量結合される。第１の電極および第２の電極は、ヒンジ軸線に隣接させて中央に配置することもでき、閉位置および開位置において、第１および第２の電極を、その間の直接接触なしに、容量結合させることもできる。第１の電極および第２の電極をヒンジ軸線からオフセットした位置に配置し、開位置においてのみ、その間の直接接触なしに、容量結合させることもできる。
【００１２】
さらに他の複数の実施態様において、ＲＦ接続は、アンテナに動作可能に結合されるフリップ部材上の第１のコイルと、モデム回路に動作可能に結合される本体部材上の第２のコイルとを含む誘導結合である。開位置において、第１および第２の電極は、その間の直接接触なしに、誘導結合される。第１のコイルおよび第２のコイルをヒンジ軸線に隣接させて中央に配置し、閉位置および開位置において、その間の直接接触なしに、容量結合させることもできる。
【００１３】
他の複数の実施態様において、本体部材は、本体部材の当該端部に、ＵＳＢコネクタ用開口部に隣接して、メモリカードスロットをさらに備える。閉位置において、接続部材はメモリカードスロットを覆う。回路基板は、メモリカードスロットに挿入されたメモリカードに動作可能に連結するように構成されたメモリカード回路をさらに備える。回路基板を第１の回路基板と、独立した第２の回路基板とにすることもできる。ＵＳＢコネクタを第１の回路基板に接続し、モデム回路を第１の回路基板上に配置することもできる。メモリカード回路を第２の回路基板上に配置することもできる。第１の回路基板を第２の回路基板に電気的に接続することもできる。
【００１４】
さらに他の複数の実施態様において、リンク機構は、フリップ部材の開位置と閉位置との間での回動をＵＳＢコネクタの突出位置と後退位置との間での直線動作に変換するラックおよび歯車機構である。ラックおよび歯車機構は、ヒンジ軸線まわりにフリップ部材と共に回転するようにフリップ部材に連結された歯車と摺動部材とを備えることもできる。摺動部材は、その上にラック部材を備える。ラック部材は歯車に噛合する。歯車の回転によりラック部材が直線的に駆動されたときにＵＳＢコネクタと共に直線移動するように、摺動部材はＵＳＢコネクタに連結される。
【００１５】
他の複数の実施態様において、ラックおよび歯車機構は、ヒンジ軸線まわりに第１のアームと共に回転するように本体部材の第１の側に隣接した第１のアームに連結された第１の歯車と、ヒンジ軸線まわりに第２のアームと共に回転するように本体部材の第２の側に隣接した第２のアームに連結された第２の歯車とを備える。摺動部材は、その上に第１および第２のラック部材を備える。第１のラック部材は第１の歯車に噛合し、第２のラック部材は第２の歯車に噛合する。第１の歯車の回転が第１のラック部材を直線的に駆動し、第２の歯車の回転が第２のラック部材を直線的に駆動したときにＵＳＢコネクタと共に直線移動するように、摺動部材はＵＳＢコネクタに連結される。
【００１６】
さらに他の複数の実施態様においては、電子装置を無線通信用に構成する方法が提供される。携帯型のＵＳＢモデム装置は、アンテナ素子を備えたフリップ部材と、開位置へのフリップ部材の回転に伴って突出位置に直線移動するようにフリップ部材にリンクされたＵＳＢコネクタとを備える。フリップ部材の閉位置において、フリップ部材は、ＵＳＢコネクタが直線移動時に通る開口部を覆う。開口部を露出させ、ＵＳＢコネクタを突出位置に突出させるには、フリップ部材を開位置に回転する。ＵＳＢモデム装置を作動させ、ＵＳＢモデム装置を介した無線通信用に電子装置を構成するには、突出したＵＳＢコネクタを電子装置のＵＳＢポートに挿入する。フリップ部材を回転することによって、アンテナ素子をＵＳＢモデム装置のモデム回路に電子的に結合することもできる。
【図面の簡単な説明】
【００１７】
【図１Ａ】ＵＳＢコネクタが閉位置にあるときの本発明の一部の実施形態によるＵＳＢモデム装置の側面図である。
【図１Ｂ】ＵＳＢコネクタが開位置に回転されたときの図１ＡのＵＳＢモデム装置を示す。
【図１Ｃ】ＵＳＢコネクタが中間位置にあるときの図１ＡのＵＳＢモデム装置を示す。
【図２】フリップ部材が閉位置にあるときの本発明の一部の実施形態によるＵＳＢモデム装置の斜視図である。
【図３】開位置にあるときの図２のＵＳＢモデム装置の斜視図である。
【図４】本体のカバーが取り外され、ラックおよび歯車機構が閉位置にあるときの本発明の一部の実施形態による図３のＵＳＢモデム装置の斜視図である。
【図５】ラックおよび歯車機構が開位置にあるときの図４のＵＳＢモデム装置の斜視図である。
【図６】本発明の一部の実施形態による図４および図５のＵＳＢモデム装置のラックおよび歯車機構を示す斜視図である。
【図７Ａ】本発明の一部の実施形態による直接アンテナＲＦ接続構成を示す、ＵＳＢモデム装置の側面図である。
【図７Ｂ】フリップ部材が閉位置にあるときの図７ＡのＵＳＢモデム装置の斜視図である。
【図７Ｃ】フリップ部材が開位置にあるときの図７ＣのＵＳＢモデム装置の斜視図である。
【図８Ａ】本発明の一部の実施形態によるＵＳＢモデム装置のアンテナの容量結合を示す斜視図である。
【図８Ｂ】本発明の一部の実施形態によるＵＳＢモデム装置のアンテナの容量結合を示す斜視図である。
【図９Ａ】本発明の一部の実施形態によるＵＳＢモデム装置のアンテナの誘導結合を示す斜視図である。
【図９Ｂ】本発明の一部の実施形態によるＵＳＢモデム装置のアンテナの誘導結合を示す斜視図である。
【図１０Ａ】本発明の一部の実施形態によるＵＳＢモデム装置のアンテナのためのオフセット接点を示す側面図である。
【図１０Ｂ】フリップ部材が閉位置にあるときの図１０Ａおよび図１０Ｃの接点を示す斜視図である。
【図１０Ｃ】本発明の一部の実施形態によるＵＳＢモデム装置のアンテナのためのオフセット接点を示す側面図である。
【図１１Ａ】図１０Ａ〜図１０Ｃの接点配置の上面図である。
【図１１Ｂ】図１０Ａ〜図１０Ｃの接点配置の上面図である。
【図１１Ｃ】図１０Ａ〜図１０Ｃの接点配置の上面図である。
【図１２Ａ】図１０Ａ〜図１０Ｃおよび図１１Ａ〜図１１ＣのＵＳＢモデム装置の側面図である。
【図１２Ｂ】図１０Ａ〜図１０Ｃおよび図１１Ａ〜図１１ＣのＵＳＢモデム装置の側面図である。
【図１２Ｃ】図１０Ａ〜図１０Ｃおよび図１１Ａ〜図１１ＣのＵＳＢモデム装置の側面図である。
【図１３】本発明の一部の実施形態による、電子装置を無線通信用に構成する方法を示すフローチャートである。
【発明を実施するための形態】
【００１８】
次に、本発明の例示的実施形態が示されている添付図面を参照しながら、本発明をより詳細に説明する。ただし、本発明は多くの異なる形態で具現可能であり、本願明細書に記載の実施形態に限定されるものと解釈されるべきではない。これらの実施形態は、本開示を完全かつ徹底的なものにし、本発明の範囲が当業者に完全に伝わるように提供されるものである。同様の数字は同様の要素を一貫して指す。本願明細書において、用語「および／または」は、挙げられた１つ以上の関連項目のあらゆる組み合わせを、および如何なる組み合わせでも、含めるものとする。
【００１９】
本願明細書で使用されている用語は、特定の実施形態を説明することのみを目的としており、本発明を限定する意図はない。本願明細書において、単数形（「ａ」、「ａｎ」、および「ｔｈｅ」）は、文脈が明らかに単数形を示している場合を除き、複数形も含むものとする。用語「備える／含む（ｃｏｍｐｒｉｓｅｓ）」および／または「備える／備えた／含む（ｃｏｍｐｒｉｓｉｎｇ）」は、本願明細書において使用される場合、記載された特徴、整数、ステップ、動作、要素、および／または構成要素の存在を示すものであり、他の１つ以上の特徴、整数、ステップ、動作、要素、構成要素、および／またはこれらのグループの存在または追加を排除するものではないことをさらに理解されるであろう。本願明細書においては、さまざまな要素を説明するために第１、第２等の用語が用いられることがあるが、これらの要素はこれらの用語によって限定されるものではないことも理解されるであろう。これらの用語は、１つの要素を別の要素から区別するためにのみ用いられている。
【００２０】
特に定義されていない限り、本願明細書で使用されているあらゆる用語（技術および科学用語を含む）は、本発明が属する技術分野の当業者が一般に理解する意味と同じ意味を有する。一般に使用されている辞書に定義されているような用語は、本願明細書および関連技術の文脈においてそれぞれの意味と一致した意味を有するものとして解釈されるべきであり、本願明細書において明示的に定義されていない限り、理想的な、または過度に正式な、意味では解釈されないことをさらに理解されるであろう。
【００２１】
本発明の一部の実施形態は、製品の機械的寸法を極めて小型化しうる一体化された摺動式ＵＳＢ機構とフリップアンテナ組立体（本願明細書においては「フリップ部材」とも呼称）との固有の組み合わせを提供する。
【００２２】
本発明の一部の実施形態は、後退可能なＵＳＢコネクタが一体化されたフリップアンテナ組立体を備えた装置を提供する。後退可能なＵＳＢコネクタとフリップアンテナとを備えたこのようなモデム装置（ドングル）の一部の実施形態について、図１Ａから図１２Ｃを参照しながらさらに説明する。なお、ＵＳＢ接点の機械的摺動動作を実現する方法はいくつか存在するが、本願明細書においては１つの選択肢（ラックおよび歯車機構の使用）について図を参照しながら説明する。ただし、本発明は、ＵＳＢコネクタを突出（開）位置と後退（閉）位置との間で移動させるように可動アンテナをモデム装置の本体に連結するために、ラックおよび歯車機構の使用にのみ限定されるものではないことを理解されるであろう。同様に、これらの図に表されているいくつかの一般概念（直接接続、誘導結合、および容量結合等）を用いてアンテナ／ＲＦ接続を実現する方法はいくつか存在する。したがって、このような接続は、オフセット接点、中央接点、容量結合、および／または誘導結合を含みうる。ただし、本発明は、これらの図に説明のために示された種類の接続に限定されるものではない。
【００２３】
図１Ａから図１Ｃは、本発明の一部の実施形態によるＵＳＢモデム装置の側面図を示す。図１Ａは、閉（後退）位置に収納されたＵＳＢコネクタを示す。図１Ｃは、開／連結位置に回転されたＵＳＢコネクタを示す。この位置において、アンテナ素子はＵＳＢモデム装置の内部回路に連結（動作可能に結合）される。図１Ｂは、中間位置にあるＵＳＢコネクタを示す。
【００２４】
図１Ａから分かるように、ＵＳＢモデム装置１００は、本体部材１１０とフリップ部材１２０とを備える。フリップ部材１２０は、図１Ａに示す閉位置と図１Ｃに示す開位置との間でヒンジ軸線１２２を中心に回動するように回転可能に本体部材１１０に連結される。図１Ａから図１Ｃの実施形態には、本体部材１１０上のカバー１１２も示されている。図１Ｂは、図１Ａの閉位置と図１Ｃの開位置との間を移行中のフリップ部材１２０を示す。
【００２５】
図１Ｃから分かるように、フリップ部材１２０を開位置に移動すると、ＵＳＢコネクタ１３０が方向１３２に直線的に突出する。したがって、ＵＳＢコネクタ１３０は、図１Ｃに示されているように、本体部材１１０の内側からその突出位置に突出する。この状態のＵＳＢコネクタ１３０を電子装置等のＵＳＢポートに差し込むことによって、電子装置に無線通信能力を提供することもできる。本願明細書においてさらに説明するように、フリップ部材１２０を図１Ｃの開位置に移動することによって、さらにフリップ部材１２０の１つ以上のアンテナ素子を本体部材１１０の内部のモデム回路に動作可能に結合することもできる。
【００２６】
図２は、閉（収納）位置にあるフリップカバー／アンテナ組立体がＵＳＢモデム装置の本体の一方の端部にあるＵＳＢポートとＳＩＭ／メモリカードスロットを覆っているときの本発明の一部の実施形態によるＵＳＢモデム装置の斜視図である。枢支点を中心に回転可能に本体に連結されたフリップカバー／アンテナ組立体（「フリップ部材」）が示されている。図３は、図２のＵＳＢモデム装置が開位置にあるときの斜視図であり、アンテナ素子が連結され、ＵＳＢコネクタが突出位置にある。図３には、ＵＳＢモデム装置の本体の同じ端部にある、ＵＳＢコネクタの上方のＳＩＭ／メモリカードスロットが示されている。
【００２７】
図２および図３の実施形態について示されているように、ＵＳＢモデム装置２００は、本体部材２１０と、フリップ部材２２０と、ＵＳＢコネクタ２３０とを備える。本体部材２１０上に配置されたカバー２１２も示されている。フリップ部材２２０は、ヒンジ軸線２２２まわりに図２に示す閉位置と図３に示す開位置との間で移動するように回転可能に本体部材２１０に連結される。ヒンジ軸線２２２は、本体部材２１０の幅方向に本体部材２１０の第１の側２１０ａから本体部材２１０の第２の側２１０ｂまで延在する。本願明細書でさらに後で説明するように、ＵＳＢコネクタ２３０を用いてＵＳＢモデム装置２００を電子装置に動作可能に結合したときに電子装置による無線通信が可能になるように、フリップ部材２２０は、少なくとも図３の開位置において本体部材２１０の内部のモデム回路に動作可能に結合される１つ以上のアンテナ素子を備えることを理解されるであろう。
【００２８】
図１Ａから図１Ｃの実施形態と同様に、フリップ部材２２０を図２の閉位置から図３の開位置に回動したときにＵＳＢコネクタ２３０が本体部材２２０内の後退位置から図３に示すような突出位置に直線的に突出するように、フリップ部材２２０は本体部材２１０内のリンク機構を介してＵＳＢコネクタ２３０に連結される。より具体的には、ＵＳＢコネクタ２３０は、本体部材２１０の一方の端部２１０ｃにある開口部２１８を通って突出する。端部２１０ｃの開口部２１８は、図２に示すように、フリップ部材の閉位置においては、フリップ部材２２０によって覆われる。
【００２９】
図３には、本体部材２１０の端部２１０ｃにあるメモリカードスロット２５８も示されている。メモリカードスロット２５８は、ＵＳＢコネクタ２３０に隣接して端部２１０ｃに沿って延在し、図２に示すように閉位置にあるフリップ部材２２０によって覆われる。ＳＩＭ等のメモリカードをメモリカードスロット２５８に挿入することもできる。このようなメモリカードは、さまざまな用途のための増設メモリを本体部材２１０に内蔵されているさまざまな回路に増設するために使用することもでき、あるいはこのような挿入式増設メモリカード装置を必要とする回路動作を可能にするために使用することもできる。
【００３０】
図２および図３の実施形態から分かるように、フリップ部材２２０は、第１のアーム２２６と第２のアーム２２４とを含む。第１のアーム２２６は、ヒンジ軸線２２２から本体部材２１０の第１の側２１０ａに隣接して延在する。第２のアーム２２４は、ヒンジ軸線２２２から本体部材の第２の側２１０ｂに隣接して延在する。第１および第２のアーム２２６、２２４のヒンジ軸線２２２から離れた側の端部は、アーム２２４、２２６間に延在する接続部材２２８によって接合される。図２の閉位置において、接続部材２２８は、上記のようにＵＳＢコネクタ用開口部２１８とメモリカードスロット２５８とを覆うために、本体部材２１０の端部２１０ｃに隣接した位置とされる。
【００３１】
図４および図５は、リンク機構を示すためにカバー２１２が外された、図３のＵＳＢモデム装置２００の斜視図である。このリンク機構は、図４の閉位置から図５の開位置へのフリップ部材２２０の回動をＵＳＢコネクタ２３０を図４の後退位置から図５の突出位置に突出させる直線動作に変換するように構成されたラックおよび歯車機構２４０として示されている。図４および図５には、ＵＳＢコネクタ２３０と共に直線的に移動するプリント回路基板（ＰＣＢ）２３９に連結されたＵＳＢコネクタ２３０が示されている。ただし、ＰＣＢ２３９は、モデム回路および／または同様の回路を備えうるが、ＵＳＢコネクタ２３０と共に移動させず、固定位置に保持しておくこともできる。図４および図５に示されているＰＣＢ２３９の上方に第２のＰＣＢ２３９’を設け、メモリカードスロット２５８に挿入されたＳＩＭ／メモリカードを第２のＰＣＢ２３９’に接続しうることを理解されるであろう。第２の回路基板２３９’は、例えば、メモリカードスロット２１８に挿入されたメモリカードに動作可能に結合されるメモリカード回路をその上に搭載することもできる。２つのＰＣＢ２３９、２３９’を、例えば可撓性フィルムコネクタ、ケーブル、および／または同様の手段によって、動作可能に結合することもできる。第２のＰＣＢ２３９’を、例えば本体部材２１０に、固定的に接続し、ＵＳＢコネクタ２３０の後退／突出時に第１のＰＣＢ２３９を第２のＰＣＢ２３９’に対して移動させることもできる。
【００３２】
図６は、本発明の一部の実施形態による図３〜図５のＵＳＢモデム装置２００のラックおよび歯車機構２４０を示す斜視図である。図４〜図６の実施形態から分かるように、ＵＳＢコネクタ２３０は回路基板２３９に固定的に接続され、回路基板２３９とＵＳＢコネクタ２３０とは図５に示すＵＳＢコネクタ２３０の突出位置と図４に示すＵＳＢコネクタ２３０の後退位置との間で方向２３２（図６）に直線的に移動する。ＵＳＢコネクタ２３０とＰＣＢ２３９とは、ヒンジ軸線２２２まわりに回転する歯車２４２ａ、２４２ｂによって駆動される摺動部材２４４に取り付けられる。
【００３３】
図４および図５に示すような実施形態において、ＰＣＢ２３９は摺動部材２４４の内側に配置され、対応するクリップ２４８ａ、２４８ｂによって保持される。ラックおよび歯車組立体２４０とＰＣＢ２３９とは本体２１０の空洞２１１内に配置される。歯車２４２ａ、２４２ｂはフリップ組立体２２０に連結され、ヒンジ軸線２２２まわりにフリップ組立体２２０と共に回転する。このような配置が歯車２４２ａ、２４２ｂをヒンジ軸線２２２上に配置することによって示されているが、本発明はこのような直接リンク構成に限定されないことを理解されるであろう。
【００３４】
図６において最もよく分かるように、摺動部材２４４は、その上に第１および第２のラック部材２４６ａ、２４６ｂを備える。ラック２４６ａ、２４６ｂはそれぞれ対応する歯車２４２ａ、２４２ｂに噛合する。このように、ＰＣＢ２３９は、その上に固着されたＵＳＢコネクタ２３０と共に、摺動部材２４４に取り付けられるので、摺動部材２４４はＵＳＢコネクタ２３０に連結され、歯車２４２ａ、２４２ｂの回転が対応するラック部材２４６ａ、２４６ｂを駆動すると、摺動部材２４４はＵＳＢコネクタ２３０と共に直線移動する。したがって、リンク機構２４０は、閉位置と開位置との間でのフリップ部材２２０の回転を後退位置と突出位置との間でのＵＳＢコネクタ２３０の所望の直進に変換する。
【００３５】
図６の各実施形態には第１および第２の歯車（ピニオン）とこれらの歯車に対応する第１および第２のラック部材を備えた単一の摺動部材とが示されているが、一部の実施形態においては単一の歯車およびラック部材を設けうることを理解されるであろう。ただし、図６の複式歯車方式の方が動作中にかじりを起こしにくい。
【００３６】
図６のラックおよび歯車機構２４０には、歯車２４２ａおよび２４２ｂの間に延在する金属シャフト２４５も示されている。本願明細書において後で説明するように、金属シャフト２４５は、その内部でアンテナに動作可能に結合されるフリップ組立体２２０上の接点とのＲＦ接続の一部として機能しうる。このような直接接点は、フリップ部材２２０の開位置および閉位置の両方で電気的な接触状態に維持されうる。例えば、フリップ組立体上の接点は、金属シャフト２４５に連結するばね接点でもよい。
【００３７】
図７Ａから図１２Ｃは、本発明のさまざまな実施形態によるアンテナＲＦ接続構成を示す。図７Ａ〜図７Ｃは、接点が中央に（枢支点／ヒンジ軸線に隣接して）配置された直接接点を示す。このフリップカバー／アンテナ組立体には、ＵＳＢモデム装置の本体のそれぞれの側でヒンジ軸線に位置合わせされた中央接点からそれぞれ延在する一対の線状アンテナ素子が図示されている。図７Ａ〜図７Ｃには、本発明の一部の実施形態を説明する目的で線状アンテナ素子が図示されているが、本発明の一部の実施形態においては他の種類のアンテナ、例えばループアンテナ、モノポールアンテナ、および／または同様のアンテナ等、を使用することもでき、これらのアンテナも本願明細書において線状アンテナ素子に言及して説明したように一般にＵＳＢモデム装置において機能しうることを理解されるであろう。図７Ａは、フリップカバー／アンテナ組立体が閉（収納）位置にあるときの側面図であり、図７Ｂは斜視図である。図７Ｃは、フリップカバー／アンテナ組立体が連結（開）位置にあり、ＵＳＢコネクタが突出位置にあるときの斜視図である。直接接点は、例えば、金属シャフトとの硬質接点および／またはばね接点等でもよく、以下にさらに説明するようにヒンジ軸線の片側または両側にＲＦ接続を設けることもできる。
【００３８】
図７Ａから図７Ｃに示すように、ＵＳＢモデム装置３００は、本体部材３１０とフリップ部材３２０とを備える。カバー３１２が本体部材３１０に設けられる。フリップ部材３２０は、ヒンジ軸線３２２まわりに回動するように枢動可能に本体部材３１０に連結される。図７Ａから図７Ｃの実施形態には、ヒンジ軸線３２２に隣接して中央に配置された直接ＲＦ接続接点３６４が模式的に示されている。接点３６４は、フリップ部材３２０の第１のアーム３２６に配置されたアンテナ３６０を本体部材３１０の内部のモデム回路に動作可能に結合するＲＦ接続をもたらす。図７Ａから図７Ｃの実施形態においてアンテナ３６０は線状アンテナとして図示され、フリップ部材３２０の第２のアーム３２４に延在する第２の線状アンテナ３６２が図示されている。図７Ａから図７Ｃには線状アンテナ３６０、３６２が模式的に示されているが、一部の実施形態においては、線状アンテナ３６０、３６２をフリップ部材３２０に埋め込んでＵＳＢモデム装置３００の使用者に見えないようにすることもできることを理解されるであろう。さらに、線状アンテナとして図示されているが、本発明は、フリップ部材３２０に含まれた線状アンテナの使用に限定されるものではない。さらに、本体部材３１０の両側でそれぞれＲＦ接続を形成する接点に結合しうる一対のアンテナ３６０、３６２が図示されているが、一部の実施形態においては、単一のアンテナまたは２つを超える数のアンテナをフリップ部材３２０に設けることもできる。
【００３９】
図７Ｂおよび図７Ｃにも示されているように、線状アンテナ３６０、３６２は、ヒンジ軸線３２２から離れたフリップ部材３２０の端部においてフリップ部材３２０の第１および第２のアーム３２６、３２４を接続する接続部材３２８に食い込む部分を含むこともできる。図７Ｃにおいて分かるように、ＵＳＢモデム装置３００は、本体部材３１０の開口部３１８を通って突出位置と後退位置との間で移動するＵＳＢコネクタ３３０と、開口部３１８に隣接したメモリカードスロット３５８とをさらに備える。これらの特徴は、同様の参照符号が付けられた上記要素（２３０、３３０、その他）に言及して説明したのとほぼ同じ方法で機能しうる。
【００４０】
ＲＦ接続直接接点３６４は、アンテナ３６０に動作可能に結合されるフリップ部材３２０上の接点と、本体部材３１０の内部のモデム回路に動作可能に結合される本体部材３１０上の対応接点とを備えうることも理解されるであろう。図７Ａから図７Ｃに示す実施形態の場合、それぞれの接点を相互に接触させることによって図７Ｂおよび図７Ｃの閉位置と開位置の両方において電気的接続をもたらしうるが、他の実施形態においては、図１０Ａから図１２Ｃに示すさまざまなオフセット接点の実施形態に言及して説明するように、開位置においてのみ電気的接続がもたらされる。
【００４１】
図８Ａおよび図８Ｂは、本発明の一部の実施形態による容量結合を示す斜視図である。図８Ａおよび図８Ｂの実施形態においては、ＲＦ接続を任意形状の一対の金属パッドを介して容量結合により（２つのパッド間に金属接点なしに）行いうる。これらのパッドは、ヒンジ軸線の中心に合わせることも、ヒンジ軸線からオフセットすることもできる。容量結合は、ヒンジ軸線の片側または両側で行いうる。
【００４２】
図８Ａおよび図８Ｂの実施形態に示すように、ＵＳＢモデム装置４００は、本体部材４１０と、フリップ部材４２０と、ＵＳＢコネクタ４３０とを備える。これらは、図２から図６の実施形態において同様の参照符号が付けられた要素に言及して上で説明したのとほぼ同様に機能しうる。同様に、本体部材４１０は、その一方の端部にＵＳＢコネクタ４３０が突出時に通過する開口部４１８とこれに隣接したメモリカードスロット４５８とを備えたものとして図示されている。フリップ部材４２０は、第１および第２のアーム４２４、４２６と、その間に延在する接続部材４２８とを備えたものとして図示されている。図８Ｂには、線状アンテナ素子４６０も模式的に図示されている。本発明のさまざまな実施形態においては線状アンテナ以外のアンテナまたは増設アンテナ素子も使用しうることを理解されるであろう。
【００４３】
図８Ａおよび図８Ｂの実施形態は、図７Ａから図７Ｃの実施形態と異なり、アンテナ素子４６０は本体部材４１０内のモデム回路に容量結合される。図８Ａおよび図８Ｂに模式的に示されているように、容量結合ＲＦ接続は、アンテナ４６０に動作可能に結合されるフリップ組立体４２０上の第１の電極４７２と、本体部材４１０の内部のモデム回路（図８Ａおよび図８Ｂには不図示）に動作可能に結合される本体部材４１０上の第２の電極４７０とを含む。電極４７０、４７２は、その間の直接接触なしに、容量結合される。図８Ａおよび図８Ｂにおいて電極４７０、４７２はオフセットされたものとして図示されているが、開位置と閉位置の両方でＲＦ接続をもたらすために電極４７０、４７２を中央に配置することも、あるいは図８Ａおよび図８Ｂに示すフリップ部材４２０の開位置においてのみ容量結合をもたらすように電極４７０、４７２をオフセットすることもできる。また、図８Ａおよび図８Ｂには一対の電極４７０、４７２のみが図示されているが、容量結合を複数位置でもたらすために、同様に配置された一対の対応電極を本体部材の反対側とフリップ部材４２０の別のアームとに設けることもできる。一部の実施形態においては、これらの容量結合の各々をフリップ部材４２０に含まれたそれぞれ別のアンテナ素子に対応付けることもできる。
【００４４】
図９Ａおよび図９Ｂは、本発明の一部の実施形態による誘導結合を示す斜視図である。図９Ａおよび図９Ｂの実施形態においては、一対の金属製コイル（任意の巻き数）を介して誘導結合によって（２つのコイル間に金属接点なしに）ＲＦ接続を行いうる。これらのコイルは、中心をヒンジ軸線に合わせることも、ヒンジ軸線からオフセットすることもできる。誘導結合は、ヒンジ軸線の片側または両側で行いうる。
【００４５】
ＵＳＢモデム装置５００は、本体部材５１０と、フリップ部材５２０と、ＵＳＢコネクタ５３０とを備える。これらは、図２〜図６を参照して同様の参照符号が付けられた要素に言及して説明したのとほぼ同様に機能しうる。同様に、本体部材５１０の一方の端部にはＵＳＢコネクタが直線的に移動するときに通る開口部５１８が図示され、その端部にはＵＳＢコネクタ５３０に隣接してメモリカードスロット５５８が図示されている。同様に、図示されているフリップ部材５２０は、第１および第２のアーム５２４、５２６と、その間に延在する接続部材５２８とを含む。
【００４６】
図９Ａおよび図９Ｂの実施形態は、前に説明した実施形態と異なり、アンテナ素子５６０はループアンテナとして図９Ｂに示されている。また、アンテナ素子５６０と本体部材５２０の内部のモデム回路（図示せず）との間に誘導結合をもたらすＲＦ接続は、フリップ部材５２０上の第１のコイル５８２と、モデム回路に動作可能に結合される本体部材５１０上の第２のコイル５８０とを含む。第１および第２の電極５８２、５８０は、図９Ａおよび図９Ｂに示されている少なくとも開位置において、その間の直接接触なしに、誘導結合される。図９Ａおよび図９Ｂの実施形態に示されているように、コイル５８０、５８２はヒンジ軸線５２２に隣接して中央に配置され、フリップ部材５２０の閉位置および開位置の両方において、コイル５８０、５８２間の直接接触なしに、容量結合されうる。ただし、図９Ａおよび図９Ｂに示すフリップ部材５２０の開位置においてのみ誘導結合されるオフセットされたコイルも使用しうることを理解されるであろう。
【００４７】
図１０Ａ〜図１０Ｃ、図１１Ａ〜図１１Ｃ、および図１２Ａ〜図１２Ｃは、本発明の一部の実施形態によるオフセット接点を示す。図１０Ａおよび図１０Ｃは側面図であり、接点を図示するために図１０Ｃにはフリップカバー／アンテナ組立体が図示されていない。図１０Ｂは、フリップカバー／アンテナ組立体内の２つの線状アンテナと、閉（収納）位置にあるフリップカバー／アンテナ組立体とを示す斜視図である。図１１Ａ〜図１１Ｃは、図１０Ａ〜図１０Ｃの接点配置の上面図である。図１１Ａおよび図１１Ｂには、閉（収納）位置のフリップカバー／アンテナ組立体が図示され、図１１Ｃには開（連結）位置が示されている。図１２Ａ〜図１２Ｃは、図１０Ａ〜図１０Ｃおよび図１１Ａ〜図１１ＣのＵＳＢモデム装置の側面図である。図１２Ａには、閉（収納）位置にあるフリップカバー／アンテナ組立体が示され、図１２Ｃには、開（連結）位置に回転してＵＳＢコネクタが突出位置にあるフリップカバー／アンテナ組立体が示され、図１２Ｂには、中間位置にあるフリップカバー／アンテナ組立体が示されている。
【００４８】
図１０Ａ〜図１２Ｃの実施形態に示されているように、ＵＳＢモデム装置６００は、本体部材６１０と、フリップ部材６２０と、ＵＳＢコネクタ６３０とを備える。カバー６１２が本体部材６１０上に示されている。フリップ部材６２０は、第１および第２のアーム６２４、６２６と、アーム６２４、６２６の両端間に延在する接続部材６２８とを備えたものとして図示されている。図１０Ａ〜図１２Ｃの実施形態のこれらの特徴は、図２〜図６の同様の参照符号が付けられた要素に言及して説明したのとほぼ同様に機能しうるので、本願明細書においてこれ以上説明する必要はない。
【００４９】
図１０Ａ〜図１２Ｃの説明図は、フリップ部材６２０の第１のアーム６２６に配置された第１の線状アンテナ６６０ａおよび第２の線状アンテナ６６０ｂへのオフセット接点配置を示す。それぞれの接点部分６６１ａおよび６６１ｂが線状アンテナ６６０ａ、６６０ｂ上に示されている。線状アンテナ６６０ａ、６６０ｂの説明図は、オフセット接点配置を説明するために、模式的であることを理解されるであろう。図１０Ａ〜図１２Ｃの実施形態には、オフセットＲＦ接続接点６６４ａおよび６６４ｂも示されている。図１１Ｂにおいて分かるように、フリップ部材６２０のアーム６２４内のアンテナ素子への接続用に、対応する一対のオフセット接点６６８ａ、６６８ｂを本体部材６１０の反対側に備えることもできる。アーム６２４内のアンテナ素子６６２ａ等の１つ以上のアンテナに関連した接点６６８ｂ、６６８ａの作用は、接点６６４ａおよび６６４ｂに言及して説明するのとほぼ同様に展開されうるので、接点６６８ａ、６６８ｂについては本願明細書においてこれ以上説明する必要はない。
【００５０】
図１０Ａ〜図１２Ｃの実施形態について図示されているように、線状アンテナ６６０ａおよび６６０ｂと本体部材６１０内の対応するモデム回路との間のＲＦ接続は、図１１Ｃおよび図１２Ｃに示されているフリップ部材６２０の開位置においてのみもたらされ、フリップ部材６２０の閉位置においてはもたらされない。図１０Ｃおよび図１２Ｃを参照すると最もよく分かるように、図１２Ｃに示されているフリップ部材６２０の開位置において、それぞれの接点部分６６１ａは本体部材６１０の接点６６４ａに位置合わせされて接続を形成し、アンテナ６６０ｂに対応付けられた接点６６１ｂは本体部材６１０の接点６６４ｂに位置合わせされて接続を形成する。このように、フリップ部材６２０が図１２Ｃの開位置にあるときにのみ、図１０Ｂで下側にある線状アンテナ素子６６０ｂは、ヒンジ軸線に近い方の図１０Ｃのオフセット接点６６４ｂに連結し、上側の線状アンテナ６６０ａはヒンジ軸線から遠い方のオフセット接点６６４ａに連結する。したがって、開位置においてのみＲＦ接続がなされる配置をもたらしうる。この接続関係は、本願明細書において先に説明したように、直接接続、容量結合、または誘導結合でもよい。
【００５１】
次に、本発明の一部の実施形態による電子装置を無線通信用に構成する方法について図１３のフローチャート図を参照しながら説明する。図１３に示されている実施形態の場合、最初にブロック１３００において、アンテナ素子付きのフリップ部材を備えた携帯型のＵＳＢモデム装置を用意する。携帯型のＵＳＢモデム装置は、フリップ部材を開位置に回転したときに突出位置に直線移動するようにフリップ部材にリンクされたＵＳＢコネクタをさらに備える。フリップ部材が閉位置にあるとき、フリップ部材は、ＵＳＢコネクタが直線移動時に通る開口部を覆う。
【００５２】
開口部を露出させ、ＵＳＢコネクタをその突出位置に突出させるには、フリップ部材を開位置に回転する（ブロック１３１０）。ＵＳＢモデム装置を作動させ、ＵＳＢモデム装置を介した無線通信用に電子装置を構成するには、突出したＵＳＢコネクタを電子装置のＵＳＢポートに挿入する（ブロック１３２０）。上で説明したように、開位置においてのみアンテナ素子が結合される本発明の一部の実施形態においては、ブロック１３１０でのフリップ部材の回転により、さらにアンテナ素子をＵＳＢモデム装置のモデム回路に電子的に結合することもできる。
【００５３】
図面および明細書において、本発明の実施形態を開示し、具体的な用語を使用しているが、これらの用語は、限定のためではなく、包括的かつ説明的な意味で使用されているものであり、本発明の範囲は以下の特許請求の範囲に明記されている。
【図１Ａ】
2011514692.tif 000003
【図１Ｂ】
2011514692.tif 000004
【図１Ｃ】
2011514692.tif 000005
【図２】
2011514692.tif 000006
【図３】
2011514692.tif 000007
【図４】
2011514692.tif 000008
【図５】
2011514692.tif 000009
【図６】
2011514692.tif 000010
【図７Ａ】
2011514692.tif 000011
【図７Ｂ】
2011514692.tif 000012
【図７Ｃ】
2011514692.tif 000013
【図８Ａ】
2011514692.tif 000014
【図８Ｂ】
2011514692.tif 000015
【図９Ａ】
2011514692.tif 000016
【図９Ｂ】
2011514692.tif 000017
【図１０Ａ】
2011514692.tif 000018
【図１０Ｂ】
2011514692.tif 000019
【図１０Ｃ】
2011514692.tif 000020
【図１１Ａ】
2011514692.tif 000021
【図１１Ｂ】
2011514692.tif 000022
【図１１Ｃ】
2011514692.tif 000023
【図１２Ａ】
2011514692.tif 000024
【図１２Ｂ】
2011514692.tif 000025
【図１２Ｃ】
2011514692.tif 000026
【図１３】
2011514692.tif 000027
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
本体部材と、
アンテナ素子を備え、ヒンジ軸線まわりに閉位置と開位置との間で移動するように回転可能に前記本体部材に結合されたフリップ部材と、
前記本体部材に対して突出位置と後退位置との間で移動するように前記本体部材内に動作可能に取り付けられたＵＳＢコネクタと、
前記開位置と前記閉位置との間での前記フリップ部材の動作により前記ＵＳＢコネクタが前記突出位置と前記後退位置との間で移動するように前記フリップ部材と前記ＵＳＢコネクタとを結合する前記本体部材のリンク機構と、を備えるユニバーサルシリアルバス（ＵＳＢ）モデム装置。
【請求項２】
前記本体部材内に配置された回路基板と、
前記回路基板のモデム回路と、
前記アンテナ素子を前記モデム回路に動作可能に結合するＲＦ接続と、
をさらに備える、請求項１に記載のＵＳＢモデム装置。
【請求項３】
前記ＲＦ接続は、前記アンテナ素子に動作可能に結合される前記フリップ部材の接点と、前記モデム回路に動作可能に結合される前記本体部材の対応接点とを含む直接接続を含み、前記フリップ部材の前記接点と前記本体部材の前記対応接点とは前記開位置においてのみ接触し、
前記アンテナ素子は第１のアンテナと第２のアンテナとを備え、前記フリップ部材は、
前記ヒンジ軸線から前記本体部材の第１の側に隣接して前記ヒンジ軸線から離れた端部まで延在し、前記第１のアンテナを備えた第１のアームと、
前記ヒンジ軸線から前記本体部材の第２の側に隣接して前記ヒンジ軸線から離れた、前記第１の側とは反対側の端部まで延在し、前記第２のアンテナを備えた第２のアームと、
前記第１のアームの前記端部と前記第２のアームの前記端部との間に延在し、前記閉位置において前記本体部材の前記第１および第２の側の間に延在する前記本体部材の端部に隣接した位置とされ、前記突出位置に突出する前記ＵＳＢコネクタが通る前記本体部材の前記端部にあるＵＳＢコネクタ用開口部を覆う接続部材と、を備え、
前記フリップ部材の前記接点は、前記第１のアンテナに動作可能に結合される第１の接点と、前記第２のアンテナに結合される第２の接点とを備え、前記対応接点は、前記本体部材の前記第１の側の第１の対応接点と前記本体部材の前記第２の側の第２の対応接点とを備え、
前記本体部材は、前記本体部材の前記端部に前記ＵＳＢコネクタ用開口部に隣接してメモリカードスロットをさらに備え、前記閉位置において前記接続部材は前記メモリカードスロットを覆い、前記回路基板は前記メモリカードスロットに挿入されたメモリカードに動作可能に連結するように構成されたメモリカード回路をさらに備える、請求項２に記載のＵＳＢモデム装置。
【請求項４】
前記リンク機構は、前記フリップ部材が固定的に連結される前記ヒンジ軸線に沿って延在する金属シャフトを備え、前記ＲＦ接続は、前記開位置および前記閉位置の両方で前記金属シャフトに接触する前記アンテナ素子に動作可能に結合される前記フリップ部材の接点を含む直接接続を含み、
前記フリップ部材の前記接点はばね接点を備える、請求項２に記載のＵＳＢモデム装置。
【請求項５】
前記ＲＦ接続は、前記アンテナ素子に動作可能に結合される前記フリップ部材の第１の電極と前記モデム回路に動作可能に結合される前記本体部材の第２の電極とを含む容量結合を含み、前記開位置において前記第１および第２の電極は、その間の直接接触なしに、容量結合され、
前記第１の電極および前記第２の電極は、前記ヒンジ軸線に隣接して中央に配置され、前記閉位置および前記開位置において前記第１および第２の電極は、その間の直接接触なしに、容量結合される、請求項２に記載のＵＳＢモデム装置。
【請求項６】
前記ＲＦ接続は、前記アンテナ素子に動作可能に結合される前記フリップ部材の第１の電極と前記モデム回路に動作可能に結合される前記本体部材の第２の電極とを含む容量結合を含み、前記開位置において前記第１および第２の電極は、その間の直接接触なしに、容量結合され、
前記第１の電極および前記第２の電極は前記ヒンジ軸線からオフセットした位置に配置され、前記開位置においてのみ前記第１および第２の電極は、その間の直接接触なしに、容量結合される、請求項２に記載のＵＳＢモデム装置。
【請求項７】
前記ＲＦ接続は、前記アンテナ素子に動作可能に結合される前記フリップ部材の第１のコイルと、前記モデム回路に動作可能に結合される前記本体部材の第２のコイルとを含む誘導結合を含み、前記開位置において前記第１および第２の電極は、その間の直接接触なしに、誘導結合され、
前記第１のコイルおよび前記第２のコイルは、前記ヒンジ軸線に隣接して中央に配置され、前記閉位置および前記開位置において前記第１および第２のコイルは、その間の直接接触なしに、容量結合される、請求項２に記載のＵＳＢモデム装置。
【請求項８】
前記アンテナ素子は第１のアンテナと第２のアンテナとを備え、前記フリップ部材は、
前記ヒンジ軸線から前記本体部材の第１の側に隣接して前記ヒンジ軸線から離れた端部まで延在し、前記第１のアンテナを備えた第１のアームと、
前記ヒンジ軸線から前記本体部材の前記第１の側とは反対側の第２の側に隣接して前記ヒンジ軸線から離れた端部まで延在し、前記第２のアンテナを備えた第２のアームと、
前記第１のアームの前記端部と前記第２のアームの前記端部との間に延在し、前記閉位置において前記本体部材の前記第１および第２の側の間に延在する前記本体部材の端部に隣接した位置とされ、前記突出位置に突出する前記ＵＳＢコネクタが通る前記本体部材の前記端部にあるＵＳＢコネクタ用開口部を覆う接続部材と、を備え、前記後退位置において前記ＵＳＢコネクタは前記本体部材内に完全に収容され、前記接続部材が前記ＵＳＢコネクタ用開口部を覆い、
前記本体部材は、前記本体部材の前記端部に前記ＵＳＢコネクタ用開口部に隣接してメモリカードスロットをさらに備え、前記閉位置において前記接続部材は前記メモリカードスロットを覆い、前記回路基板は前記メモリカードスロットに挿入されたメモリカードと動作可能に連結するように構成されたメモリカード回路をさらに備える、請求項２に記載のＵＳＢモデム装置。
【請求項９】
前記リンク機構は、前記フリップ部材の前記開位置と閉位置との間での回動を前記ＵＳＢコネクタの前記突出位置と前記後退位置との間での直線動作に変換するラックおよび歯車機構を備え、前記ラックおよび歯車機構は、
前記ヒンジ軸線まわりに前記フリップ部材と共に回転するように前記フリップ部材に連結された歯車と、
前記歯車に噛合するラック部材を備え、前記歯車の回転が前記ラック部材を直線的に駆動したときに前記ＵＳＢコネクタと共に直線移動するように前記ＵＳＢコネクタに連結された摺動部材と、を備える、請求項８に記載のＵＳＢモデム装置。
【請求項１０】
前記リンク機構は、前記フリップ部材の前記開位置と閉位置との間での回動を前記ＵＳＢコネクタの前記突出位置と前記後退位置との間での直線動作に変換するラックおよび歯車機構を備え、前記ラックおよび歯車機構は、
前記本体部材の前記第１の側に隣接した前記第１のアームと共に前記ヒンジ軸線まわりに回転するように前記第１のアームに連結された第１の歯車と、
前記本体部材の前記第２の側に隣接した前記第２のアームと共に前記ヒンジ軸線まわりに回転するように前記第２のアームに連結された第２の歯車と、
前記第１の歯車に噛合した第１のラック部材と前記第２の歯車に噛合した第２のラック部材とを備え、前記第１の歯車の回転が前記第１のラック部材を直線的に駆動し、前記第２の歯車の回転が前記第２のラック部材を直線的に駆動したときに前記ＵＳＢコネクタと共に直線移動するように前記ＵＳＢコネクタに連結された摺動部材と、を備える、請求項８に記載のＵＳＢモデム装置。
【請求項１１】
前記リンク機構は、前記フリップ部材の前記開位置と前記閉位置との間での回動を前記ＵＳＢコネクタの前記突出位置と後退位置との間での直線動作に変換するラックおよび歯車機構を備える、請求項１に記載のＵＳＢモデム装置。
【国際調査報告】
2011514692.tif 000028
2011514692.tif 000029
2011514692.tif 000030